(57)【特許請求の範囲】
【請求項１】
自装置に接続されている他の無線通信装置と該接続の切断前に共有した該切断後の再接続を行うタイミングを示す再接続情報に基づいて、前記他の無線通信装置との再接続処理を行う再接続処理手段と、
前記再接続情報に基づいて決定したタイミングで、無線通信に必要な電力供給の制御を行う電力供給制御手段と、
前記再接続情報と自装置のクロック信号の歩度とから前記再接続処理の実行を判定する判定手段と、
前記再接続情報を受信する再接続情報受信手段と、
前記再接続情報受信手段が前記再接続情報を受信した後に、前記接続の切断処理を行う切断処理手段と、を備え、
前記電力供給制御手段は、前記切断処理手段による前記接続の切断処理後に、前記電力供給を停止し、該停止した電力供給を、前記再接続情報が示すタイミングの前に再開する、
ことを特徴とする無線通信装置。
【請求項２】
自装置に接続されている他の無線通信装置と該接続の切断前に共有した該切断後の再接続を行うタイミングを示す再接続情報に基づいて、前記他の無線通信装置との再接続処理を行う再接続処理手段と、
前記他の無線通信装置における前記再接続処理の実行の判定結果を受信する判定結果受信手段と、
前記判定結果受信手段で受信した前記判定結果に応じて前記再接続情報を送信する再接続情報送信手段と、
前記再接続情報送信手段が前記再接続情報を送信した後に、前記接続の切断処理を行う切断処理手段と、を備え、
前記判定結果は、前記再接続情報と前記他の無線通信装置のクロック信号の歩度とから判定される、
ことを特徴とする無線通信装置。
【請求項３】
前記再接続情報に基づいて決定したタイミングで、無線通信に必要な電力供給の制御を行う電力供給制御手段をさらに備え、
前記電力供給制御手段は、前記切断処理手段による前記接続の切断処理後に、前記電力供給を停止し、該停止した電力供給を、前記再接続情報が示すタイミングの前に再開する、
ことを特徴とする請求項２に記載の無線通信装置。
【請求項４】
前記再接続情報送信手段は、前記接続を切断する直前のデータ通信の際に、前記他の無線通信装置との間のデータ通信が不要な時間に基づいて、前記再接続を行うタイミングを算出して前記再接続情報を生成する、
ことを特徴とする請求項２又は３に記載の無線通信装置。
【請求項５】
自装置のクロック信号のパルス数をカウントする計時手段をさらに備え、
前記再接続情報送信手段は、前記再接続情報を送信したときから前記再接続を行うタイミングまでの時間を、前記クロック信号のパルス数に変換し、該パルス数を前記再接続情報として生成し、
前記再接続処理手段は、前記計時手段がカウントするパルス数と前記再接続情報が示すパルス数とに基づいて前記再接続処理を行う、
ことを特徴とする請求項２から４のいずれか１項に記載の無線通信装置。
【請求項６】
自装置のクロック信号のパルス数をカウントする計時手段をさらに備え、
前記再接続情報は、前記再接続情報を送信したときから前記再接続を行うタイミングまでの時間を、前記クロック信号のパルス数に変換したパルス数を示し、
前記再接続処理手段は、前記計時手段がカウントするパルス数と前記再接続情報が示すパルス数とに基づいて前記再接続処理を行う、
ことを特徴とする請求項１に記載の無線通信装置。
【請求項７】
前記再接続情報が前記再接続を行うタイミングの時刻を示す情報であり、
前記再接続処理手段は、前記再接続情報が示す時刻に基づいて前記再接続処理を行う、
ことを特徴とする請求項１又は２又は３又は４のいずれか１項に記載の無線通信装置。
【請求項８】
請求項１から７のいずれか１項に記載の無線通信装置を備える電子時計。
【請求項９】
自装置に接続されている他の無線通信装置と該接続の切断前に共有した該切断後の再接続を行うタイミングを示す再接続情報に基づいて、前記他の無線通信装置との再接続処理を行う再接続処理ステップと、
前記再接続情報に基づいて決定したタイミングで、無線通信に必要な電力供給の制御を行う電力供給制御ステップと、
前記再接続情報と自装置のクロック信号の歩度とから前記再接続処理の実行を判定する判定ステップと、
前記再接続情報を受信する再接続情報受信ステップと、
前記再接続情報受信ステップが前記再接続情報を受信した後に、前記接続の切断処理を行う切断処理ステップと、を備え、
前記電力供給制御ステップは、前記切断処理ステップによる前記接続の切断処理後に、前記電力供給を停止し、該停止した電力供給を、前記再接続情報が示すタイミングの前に再開する、
ことを特徴とする無線通信方法。
【請求項１０】
コンピュータを、
自装置に接続されている他の無線通信装置と該接続の切断前に共有した該切断後の再接続を行うタイミングを示す再接続情報に基づいて、前記他の無線通信装置との再接続処理を行う再接続処理手段、
前記再接続情報に基づいて決定したタイミングで、無線通信に必要な電力供給の制御を行う電力供給制御手段、
前記再接続情報と自装置のクロック信号の歩度とから前記再接続処理の実行を判定する判定手段、
前記再接続情報を受信する再接続情報受信手段、
前記再接続情報受信手段が前記再接続情報を受信した後に、前記接続の切断処理を行う切断処理手段、として機能させ、
前記電力供給制御手段は、前記切断処理手段による前記接続の切断処理後に、前記電力供給を停止し、該停止した電力供給を、前記再接続情報が示すタイミングの前に再開する、
ことを特徴とするプログラム。
【請求項１１】
自装置に接続されている他の無線通信装置と該接続の切断前に共有した該切断後の再接続を行うタイミングを示す再接続情報に基づいて、前記他の無線通信装置との再接続処理を行う再接続処理ステップと、
前記他の無線通信装置における前記再接続処理の実行の判定結果を受信する判定結果受信ステップと、
前記判定結果受信ステップで受信した前記判定結果に応じて前記再接続情報を送信する再接続情報送信ステップと、
前記再接続情報送信ステップで前記再接続情報を送信した後に、前記接続の切断処理を行う切断処理ステップと、
を備え、
前記判定結果は、前記再接続情報と前記他の無線通信装置のクロック信号の歩度とから判定される、
ことを特徴とする無線通信方法。
【請求項１２】
コンピュータを、
自装置に接続されている他の無線通信装置と該接続の切断前に共有した該切断後の再接続を行うタイミングを示す再接続情報に基づいて、前記他の無線通信装置との再接続処理を行う再接続処理手段、
前記他の無線通信装置における前記再接続処理の実行の判定結果を受信する判定結果受信手段、
前記判定結果受信手段で受信した前記判定結果に応じて前記再接続情報を送信する再接続情報送信手段、
前記再接続情報送信手段で前記再接続情報を送信した後に、前記接続の切断処理を行う切断処理手段、
として機能させ、
前記判定結果は、前記再接続情報と前記他の無線通信装置のクロック信号の歩度とから判定される、
ことを特徴とするプログラム。
【発明の詳細な説明】
【技術分野】
【０００１】
本発明は、無線通信装置、電子時計、無線通信方法及びプログラムに関する。
【背景技術】
【０００２】
近年、消費電力を抑えた近距離無線通信規格であるBluetooth（登録商標）low energy（以下、ＢＬＥという）の普及が進んでいる。このＢＬＥに基づいて無線通信を行う無線通信機器は、通信相手となる他の無線通信機器との接続（リンク）を維持するために、送受信すべきデータがない場合であっても、定期的に何らかの送受信動作を行う。
【０００３】
このような送受信動作の電力消費を低減させるために、送受信すべきデータの有無に応じて動作状態（モード）を切り替える無線通信機器も提案されている。例えば特許文献１は、送受信すべきデータが無い場合、通常のデータ通信を行うデータ通信モードからリンク維持に必要な信号のみを送受信する省電力モードに移行し、その省電力モードの状態が所定時間継続した場合、接続を切断（リンク維持を解除）して動作停止状態にする無線通信機器を開示している。
【先行技術文献】
【特許文献】
【０００４】
【特許文献１】特開２００４−２０５５７８号公報
【発明の概要】
【発明が解決しようとする課題】
【０００５】
上記の無線通信機器は、送受信すべきデータが無い場合、省電力モードの状態になる。しかし、リンク維持に必要な信号の送受信は継続するため、その送受信に伴う消費電力まで低減できていない。
【０００６】
また、省電力モードの状態が所定時間継続すると、接続を切断して動作停止状態にしてしまうため、動作復帰及び再接続が必要となる。しかし、特許文献１には、動作停止状態から動作復帰及び再接続する手順が具体的に開示されていない。
【０００７】
したがって、無線通信機器が接続を切断して動作停止状態になっているときに、再び送受信すべきデータが生じた場合、そのタイミングにおいて他の無線通信機器との再接続が完了していない場合がある。この場合、送受信すべきデータがあっても再接続が完了するまで、当該データのデータ通信ができないという問題が生じる。
【０００８】
そこで、本発明はこのような事情に鑑みてなされたものであって、無駄な消費電力を抑えつつ、送受信すべきデータが生じるタイミングにおいて他の無線通信装置と接続された状態にすることが可能な無線通信装置等を提供することを目的とする。
【課題を解決するための手段】
【０００９】
上記目的を達成するため、本発明に係る無線通信装置は、
自装置に接続されている他の無線通信装置と該接続の切断前に共有した該切断後の再接続を行うタイミングを示す再接続情報に基づいて、前記他の無線通信装置との再接続処理を行う再接続処理手段と、
前記再接続情報に基づいて決定したタイミングで、無線通信に必要な電力供給の制御を行う電力供給制御手段と、
前記再接続情報と自装置のクロック信号の歩度とから前記再接続処理の実行を判定する判定手段と、
前記再接続情報を受信する再接続情報受信手段と、
前記再接続情報受信手段が前記再接続情報を受信した後に、前記接続の切断処理を行う切断処理手段と、を備え、
前記電力供給制御手段は、前記切断処理手段による前記接続の切断処理後に、前記電力供給を停止し、該停止した電力供給を、前記再接続情報が示すタイミングの前に再開する、
ことを特徴とする。
また、上記目的を達成するため、本発明の別の観点に係る無線通信装置は、
自装置に接続されている他の無線通信装置と該接続の切断前に共有した該切断後の再接続を行うタイミングを示す再接続情報に基づいて、前記他の無線通信装置との再接続処理を行う再接続処理手段と、
前記他の無線通信装置における前記再接続処理の実行の判定結果を受信する判定結果受信手段と、
前記判定結果受信手段で受信した前記判定結果に応じて前記再接続情報を送信する再接続情報送信手段と、
前記再接続情報送信手段が前記再接続情報を送信した後に、前記接続の切断処理を行う切断処理手段と、を備え、
前記判定結果は、前記再接続情報と前記他の無線通信装置のクロック信号の歩度とから判定される、
ことを特徴とする。
【発明の効果】
【００１０】
本発明によれば、無駄な消費電力を抑えつつ、送受信すべきデータが生じるタイミングにおいて他の無線通信装置と接続された状態にすることができる。
【図面の簡単な説明】
【００１１】
【図１】実施形態に係る無線通信システムの構成例を示す図である。
【図２】実施形態に係るセントラルの構成例を示すブロック図である。
【図３】実施形態に係るペリフェラルの構成例を示すブロック図である。
【図４】ＢＬＥの規格に基づく無線通信のシーケンスを示す図である。
【図５】間欠駆動処理のフローチャートの一例を示す図である。
【図６】間欠駆動処理の動作及び無線通信部の消費電力の一例を示す図であり、（Ａ）はセントラルの場合を示し、（Ｂ）はペリフェラルの場合を示している。
【発明を実施するための形態】
【００１２】
（実施形態）
以下、本発明の実施形態について図面を参照して説明する。図１に示すように、本発明の実施形態に係る無線通信システム１は、無線通信装置であるセントラル１００と、セントラル１００とは異なる他の無線通信装置であるペリフェラル２００とから構成される。
【００１３】
セントラル１００とペリフェラル２００とは、Bluetooth（登録商標） low energy（以下、ＢＬＥという。）に基づいて、互いに無線通信を行う。ＢＬＥとは、Bluetooth（登録商標）と呼ばれる近距離無線通信規格において、低消費電力を目的として策定された規格（モード）である。
【００１４】
セントラル１００及びペリフェラル２００は、例えば、携帯電話機、スマートフォン、タブレット型パーソナルコンピュータ、ノート型パーソナルコンピュータ、時計等の持ち運びが可能であって、ＢＬＥに基づく無線通信機能を有する端末である。
【００１５】
本実施形態では、一例として、セントラル１００は、スマートフォンとし、ペリフェラル２００は、セントラル１００から各種データを受信して表示部２５０に表示する高機能時計装置とする。
【００１６】
以下、この実施形態に係るセントラル１００の構成について説明する。図２に示すように、セントラル１００は、無線通信部１１０と、ＲＯＭ（Read Only Memory）１２０と、ＲＡＭ（Random Access Memory）１３０と、操作部１４０と、表示部１５０と、制御部１６０とを備える。
【００１７】
無線通信部１１０は、例えば無線周波数（ＲＦ：Radio Frequency）回路、ベースバンド（ＢＢ：Base Band）回路、集積回路（ＬＳＩ：Large Scale Integration）等から構成される。なお、厳密には、無線通信部１１０はＲＦ用のクロック信号生成部（不図示）も含んでいる。無線通信部１１０は、アンテナ１１１を介して信号の送受信を行い、他の無線通信装置であるペリフェラル２００とＢＬＥに基づく無線通信を行う。
【００１８】
ＲＯＭ１２０は、フラッシュメモリ等の不揮発性メモリから構成され、制御部１６０が各種機能を制御するためのプログラムやデータを記憶する。
【００１９】
ＲＡＭ１３０は、揮発性メモリから構成され、制御部１６０が各種処理を行うためにデータを一時的に記憶するための作業領域として用いられる。
【００２０】
操作部１４０は、タッチパネルから構成され、ユーザが指示を入力するために用いられるインタフェースである。
【００２１】
表示部１５０は、例えば、ＬＣＤ（Liquid Crystal Display）、ＥＬ（Electroluminescence）ディスプレイ等によって構成され、制御部１６０から入力された画像データに応じて画像を表示する。
【００２２】
制御部１６０は、例えばＣＰＵ（Central Processing Unit）によって構成される。制御部１６０は、ＲＯＭ１２０に記憶された各種プログラム（例えば、後述する間欠駆動処理を実現するためのプログラム）を実行することにより、セントラル１００の全体の動作を制御する。
【００２３】
次に、セントラル１００の制御部１６０の機能的構成について説明する。図２に示すように、制御部１６０は、アドバタイズメント受信部１６１、接続要求送信部１６２、切断要求送信部１６３、再接続情報送信部１６４、電力供給制御部１６５、計時部１６６、クロック信号生成部１６７、判定結果受信部１６８として機能する。
【００２４】
アドバタイズメント受信部１６０は、スキャン指示に基づいて、ペリフェラル２００から送信される告知情報（以下、「アドバタイズメント」という。）を受信する。スキャン指示のためのユーザ操作としては、例えば、セントラル１００のサービスを利用するためのアプリケーションの起動などが考えられる。また、スキャン指示は、ユーザ操作に限らずアプリケーション起動後、所定時間経過後に自動で行われてもよい。
【００２５】
接続要求送信部１６２は、無線通信部１１０を介してペリフェラル２００に接続を要求する接続要求の送信を行う。接続要求は、ペリフェラル２００から送信されるアドバタイズメントを受信後、接続が必要な場合に送信される。接続が必要な場合とは、例えば、データ通信を行って送受信すべきデータがある場合である。
【００２６】
接続要求は、接続が切断された状態から再接続情報が示すタイミングで再接続を行う場合にも送信される。そのため、アドバタイズメント受信部１６１及び接続要求送信部１６２は、再接続処理手段に相当する。
【００２７】
切断要求送信部１６３は、無線通信部１１０を介してペリフェラル２００に接続を切断するための切断要求の送信を行う。切断要求は、例えば、ペリフェラル２００と接続してデータ通信を行い、送受信すべきデータが無くなった場合に送信される。なお、ユーザの切断指示によって送信されてもよい。切断要求送信部１６３は、切断処理手段に相当する。
【００２８】
再接続情報送信部１６４は、ペリフェラル２００との接続を切断した後の再接続を行うタイミングを示す再接続情報を送信する。再接続情報送信部１６４は、再接続情報送信手段に相当する。
【００２９】
なお、再接続情報が示す再接続を行うタイミングは、ペリフェラル２００との間のデータ通信が不要な時間に基づいて算出される。データ通信が不要な時間は、例えば、セントラル１００が各種データをペリフェラル２００に送信する送信間隔である。この送信間隔は、一定であってもよいし、一定ではなく、セントラル１００の各種データの変化が大きい場合には短くし、変化が小さい場合や変化がない場合には長くする等のように適宜可変に設定されてもよい。
【００３０】
電力供給制御部１６５は、スイッチング回路等から構成され、無線通信に必要な電力供給の制御を行う。また、電力供給制御部１６５は、再接続情報に基づいて決定したタイミングで、無線通信に必要な電力供給の停止、再開、増減等の制御を行う。電力供給制御部１６５は、電力供給制御手段に相当する。
【００３１】
計時部１６６は、自装置（セントラル１００）のクロック信号のパルス数をカウントするカウンタ回路から構成される。制御部１６０は、計時部１６６がカウントするパルス数に基づいたタイミングで各種制御を実行する。計時部１６６は、計時手段に相当する。
【００３２】
クロック信号生成部１６７は、基準クロックを生成する水晶発振器及び基準クロックから所望の周波数のクロック信号を生成する可変ＰＬＬ等から構成され、自装置（セントラル１００）のクロック信号を生成する。このクロック信号の周波数は、可変ＰＬＬの分周比を変えることによって制御される。なお、上述の再接続情報送信部１６４は、再接続情報を送信したときから再接続を行うタイミングまでの時間を、このクロック信号生成部１６７が生成するクロック信号のパルス数に変換して、そのパルス数を再接続情報として生成する。
【００３３】
判定結果受信部１６８は、再接続情報を受信したペリフェラル２００から、ＯＫ情報又はＮＧ情報を受信する。ＯＫ情報は、ペリフェラル２００が再接続情報の示すタイミングで再接続処理を実行できるという判定結果を示す情報であり、ＮＧ情報は、実行できないという判定結果を示す情報である。
【００３４】
次に、この実施形態に係るペリフェラル２００の構成について説明する。図３に示すように、無線通信部２１０と、ＲＯＭ２２０と、ＲＡＭ２３０と、操作部２４０と、表示部２５０と、制御部２６０とを備える。
【００３５】
無線通信部２１０は、例えばＲＦ回路、ＢＢ回路、ＬＳＩ等から構成される。無線通信部２１０は、アンテナ２１１を介して、他の無線通信装置であるセントラル１００とＢＬＥに基づく無線通信を行う。
【００３６】
ＲＯＭ２２０は、フラッシュメモリ等の不揮発性メモリから構成され、制御部２６０が各種機能を制御するためのプログラムやデータを記憶する。
【００３７】
ＲＡＭ２３０は、揮発性メモリから構成され、制御部２６０が各種処理を行うためにデータを一時的に記憶するための作業領域として用いられる。
【００３８】
操作部２４０は、スイッチ等から構成され、ユーザの操作を受け付けるインタフェースである。
【００３９】
表示部２５０は、例えば、ＬＣＤ、ＥＬディスプレイ等によって構成され、制御部２６０から入力された画像データに応じて画像を表示する。
【００４０】
制御部２６０は、例えばＣＰＵによって構成される。制御部２６０は、ＲＯＭ２２０に記憶された各種プログラム（例えば、後述する間欠駆動処理を実現するためのプログラム）を実行することにより、ペリフェラル２００の全体の動作を制御する。
【００４１】
次に、ペリフェラル２００の制御部２６０の機能的構成について説明する。図３に示すように、制御部２６０は、アドバタイズメント送信部２６１、接続要求受信部２６２、切断要求受信部２６３、再接続情報受信部２６４、電力供給制御部２６５、計時部２６６、クロック信号生成部２６７、判定結果送信部２６８として機能する。
【００４２】
アドバタイズメント送信部２６１は、所定のタイミングでアドバタイズメントを送信する。所定のタイミングとは、一定周期のタイミングであってもよいし、セントラル１００から受信した再接続情報が示すタイミングであってもよい。
【００４３】
接続要求受信部２６２は、セントラル１００からの接続要求を受信してセントラル１００との接続を確立する。この接続の確立によってセントラル１００とのデータ通信が可能となる。
【００４４】
接続要求は、アドバタイズメント送信部２６０からアドバタイズメントを受信したセントラル１００が送信するものである。また、接続要求受信部２６２は、接続が切断された状態から再接続情報が示すタイミングで再接続を行う場合にも接続要求を受信する。そのため、アドバタイズメント送信部２６１及び接続要求受信部２６２は、再接続処理手段に相当する。
【００４５】
切断要求受信部２６３は、セントラル１００から接続を切断するための切断要求を受信し、セントラル１００との接続を切断する。切断要求受信部２６３は、切断処理手段に相当する。
【００４６】
再接続情報受信部２６４は、セントラル１００との接続を切断した後の再接続を行うタイミングを示す再接続情報を受信する。再接続情報受信部２６４は、再接続情報受信手段に相当する。なお、アドバタイズメント送信部２６１は、再接続情報受信部２６４が受信した再接続情報が示すタイミングでセントラル１００にアドバタイズメントを送信する。
【００４７】
電力供給制御部２６５は、スイッチング回路等から構成され、無線通信に必要な電力供給の制御を行う。また、電力供給制御部２６５は、再接続情報に基づいて決定したタイミングで、無線通信に必要な電力供給の停止、再開、増減等の制御を行う。電力供給制御部２６５は、電力供給制御手段に相当する。
【００４８】
計時部２６６は、自装置（ペリフェラル２００）のクロック信号のパルス数をカウントするカウンタ回路から構成される。制御部２６０は、計時部２６６がカウントするパルス数に基づいたタイミングで各種制御を実行する。計時部２６６は、計時手段に相当する。
【００４９】
クロック信号生成部２６７は、基準クロックを生成する水晶発振器及び基準クロックから所望の周波数のクロック信号を生成する可変ＰＬＬ等から構成され、自装置（ペリフェラル２００）のクロック信号を生成する。このクロック信号の周波数は、可変ＰＬＬの分周比を変えることによって制御される。なお、上述のアドバタイズメント送信部２６１は、再接続情報受信部２６４が受信する再接続情報が示すパルス数と、計時部２６６がカウントするパルス数とに基づいたタイミングでアドバタイズメントを送信する。
【００５０】
判定結果送信部２６８は、ペリフェラル２００が再接続情報の示すタイミングで再接続処理を実行できるかどうかを判定し、実行できる場合にはＯＫ情報を送信し、実行できない場合にはＮＧ情報を送信する。なお、実行できない場合とは、例えば、再接続情報の示すタイミングが早すぎて（間欠時間が短すぎて）ペリフェラル２００が追従出来ない場合、再接続情報の示すタイミングが遅すぎて（間欠時間が長すぎて）間欠時間中のクロック信号のずれが大きく送受信タイミングを合わせられない場合である。
【００５１】
ここで、ＢＬＥの規格に基づく無線通信について図４を参照しながら説明する。まず、ペリフェラル２００は、上述した所定のタイミングでアドバタイズメントを送信する（ステップＳ１０）。このアドバタイズメントとは、自己の存在を知らしめるための告知情報である。
【００５２】
次に、セントラル１００は、アドバタイズメントが送信される周波数帯域のチャンネルをスキャンしてアドバタイズメントを受信する（ステップＳ１１）。セントラル１００は、受信したアドバタイズメントから所定時間（例えば、１５０μｓｅｃ）後に、接続要求を送信する（ステップＳ１２）。
【００５３】
次に、ペリフェラル２００は、接続要求を受信するとセントラル１００との間で接続を確立し（ステップＳ１３）、セントラル１００が所望するデータの送受信を行う（ステップＳ１４）。なお、送受信すべきデータが無くなると、接続の切断処理が実行され無線通信が終了する。
【００５４】
以下、上記のセントラル１００及びペリフェラル２００の消費電力を抑えるための間欠駆動処理について図５及び図６を対比しながら説明する。図５及び図６は、繰り返し実行される間欠駆動処理の接続状態→切断→再接続→接続状態という１サイクルを示している。
【００５５】
図６は、セントラル１００の無線通信部１１０及びペリフェラル２００の無線通信部２１０の消費電力の推移と、間欠駆動処理の動作タイミングを示している。図６（Ａ）、（Ｂ）において、それぞれ縦軸は消費電力の大きさを示し、横軸は時間軸を示している。
【００５６】
図６（Ａ）は、セントラル１００の無線通信部１１０の送受信動作（例えばデータ送信等）に伴う消費電力１８１と、無線通信部１１０のＬＳＩの消費電力１８２と、無線通信部１１０のその他の回路等の消費電力１８３とを示している。
【００５７】
図６（Ｂ）は、ペリフェラル２００の無線通信部２１０の送受信動作（例えばデータ受信等）に伴う消費電力２８１と、無線通信部２１０のＬＳＩの消費電力２８２と、無線通信部２１０のその他の回路等の消費電力２８３とを示している。
【００５８】
図６の左側の通常の接続状態において、セントラル１００及びペリフェラル２００間のデータ通信が１回目、２回目・・・と繰り返し行われる。ここで、Ｎ回目のデータ通信（Ｎ）で送受信すべきデータが無い場合には、図５に示す間欠駆動処理が開始される。
【００５９】
まず、セントラル１００の再接続情報送信部１６４は、再接続を行うタイミングを算出して再接続情報を生成する（ステップＳ１０１）。また、セントラル１００の再接続情報送信部１６４は、生成した再接続情報をペリフェラル２００に送信する（ステップＳ１０２）。
【００６０】
ペリフェラル２００の再接続情報受信部２６４は、セントラル１００から再接続情報を受信する（ステップＳ２０１）。その後、ペリフェラル２００の判定結果送信部２６８は、ペリフェラル２００が再接続情報の示すタイミングで再接続処理を実行できるかどうかを判定し、その判定結果（ＯＫ情報又はＮＧ情報）をセントラル１００に送信する（ステップＳ２０２）。
【００６１】
ここで、ペリフェラル２００の判定結果送信部２６８がＮＧ情報を送信している場合（ステップＳ２０３；Ｎｏ）、ペリフェラル２００は、ステップＳ２０１に戻って再び再接続情報を受信する状態となる。ペリフェラル２００の判定結果送信部２６８がＯＫ情報を送信している場合（ステップＳ２０３；Ｙｅｓ）、切断要求を受信する状態となる。
【００６２】
一方、セントラル１００の判定結果受信部１６８は、ペリフェラル２００から送信された判定結果（ＯＫ情報又はＮＧ情報）を受信する（ステップＳ１０３）。
【００６３】
ここで、セントラル１００の判定結果受信部１６８がＮＧ情報を受信している場合（ステップＳ１０４；Ｎｏ）、セントラル１００は、ステップＳ１０１に戻って、再び再接続情報の生成からやり直す。セントラル１００の判定結果受信部１６８がＯＫ情報を受信している場合（ステップＳ１０４；Ｙｅｓ）、切断要求送信部１６３は、ペリフェラル２００に切断要求を送信する（ステップＳ１０５）。
【００６４】
ペリフェラル２００の切断要求受信部２６３は、切断要求を受信してセントラル１００との接続を切断する（ステップＳ２０４）。これにより、接続の切断処理がすべて完了する。なお、本願で、単に接続の切断処理という場合には、切断要求の送信又は受信のいずれかを示すものとする。
【００６５】
次に、セントラル１００の電力供給制御部１６５及びペリフェラル２００の電力供給制御部２６５は、それぞれ無線通信に必要な電力供給を停止する電力供給停止処理を行う（ステップＳ１０６、ステップＳ２０５）。
【００６６】
即ち、接続の切断処理が完了以後（電源ＯＦＦ制御タイミング）に、セントラル１００の電力供給制御部１６５は、無線通信部１１０のＬＳＩの電源をＯＦＦにする。これにより、無線通信部１１０のＬＳＩの消費電力１８２がゼロになる。次にセントラル１００の電力供給制御部１６５は、無線通信部１１０の電源をＯＦＦにする。これにより、無線通信部１１０のその他の回路等の消費電力１８３もゼロになる。その結果、図６に両矢印で示すように、電力供給停止処理の後に無線通信部１１０の消費電力がゼロ状態である間欠期間が開始する。
【００６７】
ペリフェラル２００の電力供給制御部２６５も上記と同様に電力供給停止処理を行い、無線通信部２１０のＬＳＩの消費電力２８２及び無線通信部２１０のその他の回路等の消費電力２８３がゼロとなる。その結果、図６に両矢印で示すように、電力供給停止処理の後に無線通信部２１０の消費電力がゼロ状態である間欠期間が開始する。
【００６８】
その後、セントラル１００の電力供給制御部１６５及びペリフェラル２００の電力供給制御部２６５は、電力供給再開処理を行うタイミング（電源ＯＮ制御タイミング）まで待機する（ステップＳ１０７；Ｎｏ、ステップＳ２０６；Ｎｏ）。なお、電力供給再開処理を行うタイミングは、各々自装置の計時部１６６、２６６がカウントするクロック信号のパルス数が再接続タイミングの直前のパルス数になったときである。
【００６９】
例えば、再接続情報送受信時の計時部のパルス数が３であり、再接続情報の示す時間であるパルス数が２０であったとする。この場合、計時部がカウントするパルス数が２３になったときが再接続を行うタイミングであるため、例えば、そのタイミングより少し前である計時部のパルス数が２１又は２２になったときを電力供給再開処理のタイミングとする。
【００７０】
電源ＯＮ制御タイミングになると（ステップＳ１０７；Ｙｅｓ、ステップＳ２０６；Ｙｅｓ）、セントラル１００の電力供給制御部１６５及びペリフェラル２００の電力供給制御部２６５は、電力供給再開処理を行う（ステップＳ１０８、ステップＳ２０７）。
【００７１】
具体的には、セントラル１００の電力供給制御部１６５は、無線通信部１１０の電源をＯＮにして、ＬＳＩの電源をＯＮにする。ペリフェラル２００の電力供給制御部２６５は、無線通信部２１０の電源をＯＮにして、ＬＳＩの電源をＯＮにする。これにより、図６に両矢印で示すように間欠期間が終了する。
【００７２】
電力供給再開処理を終えたセントラル１００及びペリフェラル２００は、切断されていた接続を再接続する再接続処理を行う（ステップＳ１０９、ステップＳ２０８）。
【００７３】
即ち、ペリフェラル２００のアドバタイズメント送信部２６１が再接続するタイミングでアドバタイズメントを送信し、セントラル１００のアドバタイズメント受信部１６１がそれを受信する。アドバタイズメントを受信したセントラル１００の接続要求送信部１６２は、接続要求を送信し、ペリフェラル２００の接続要求受信部２６２がそれを受信して接続を確立する。
【００７４】
これにより再接続処理がすべて完了して、セントラル１００及びペリフェラル２００は接続状態となり、以後は図６の右側に示すようにデータ通信が行われる。なお、本願で、単に接続の再接続処理という場合には、接続要求及びアドバタイズメントの送信又は受信のいずれかを示すものとする。
【００７５】
このように、本実施形態の無線通信システム１によれば、セントラル１００及びペリフェラル２００は、接続を切断する前に、その接続を切断した後の再接続を行うタイミングを示す再接続情報を共有する。そのうえで、セントラル１００及びペリフェラル２００は、接続の切断処理後において、共有した再接続情報に基づいて再接続処理を行っている。また、セントラル１００及びペリフェラル２００は、再接続情報に基づいて決定したタイミング（電源ＯＮ制御タイミング及び電源ＯＦＦ制御タイミング）で無線通信に必要な電力供給の制御を行っている。
【００７６】
この場合、接続が切断されている間はリンクを維持するための定期的な送受信動作が不要である。そのため、セントラル１００及びペリフェラル２００は、それぞれ無駄な消費電力を抑えることができる。また、セントラル１００及びペリフェラル２００は、共有した再接続情報に基づいて、送受信すべきデータが生じるタイミングにおいて互いに接続された状態（再接続された状態）にすることができる。
【００７７】
また、セントラル１００及びペリフェラル２００の間欠駆動処理により、図６に示すように無線通信に必要な電力がゼロとなる間欠期間が生じる。その結果、データ通信が不要な期間の無駄な消費電力を抑えられる。また、送受信すべきデータが生じるタイミングにおいて、セントラル１００及びペリフェラル２００は、再接続処理を終えているため、接続された状態となる。
【００７８】
以上で実施形態の説明を終了するが、上記実施形態は一例であり、ペリフェラル２００とセントラル１００の具体的な構成や処理の内容などが上記実施形態で説明したものに限られないことはもちろんである。
【００７９】
（変形例）
上記実施形態では、ＢＬＥに基づいて互いに無線通信を行うセントラル１００及びペリフェラル２００を無線通信装置の一例として示している。しかし、本発明は、ＢＬＥに基づいて無線通信を行う無線通信装置に限られない。例えば、本発明は、Ｗｉ−Ｆｉ（登録商標）、Ｂｌｕｅｔｏｏｔｈ（登録商標）およびＺｉｇｂｅｅ（登録商標）等に基づく無線通信を行う無線通信装置等であってもよい。
【００８０】
上記実施形態では、セントラル１００が再接続情報を送信し、それを受信したペリフェラル２００が判定結果を送信している。しかし、これに限られず、ペリフェラルが再接続情報を送信し、セントラル１００が判定結果を送信してもよい。また、本発明の無線通信装置は、上記実施形態のようにセントラル及びペリフェラルの区別をしなくてもよく、両者の制御部の各構成要素は可逆である。
【００８１】
上記実施形態では、再接続情報が示す時間をパルス数に変換しているが、これに限られない。例えば、再接続情報が示す時間は、１０秒のような時間で示してもよい。また、再接続情報は、時間を示す情報ではなく、再接続を行うタイミングの時刻（例えば３時０６分０５秒等）を示す情報であってもよい。
【００８２】
また、上記実施形態において、ペリフェラル２００は、再接続情報が示すタイミングでアドバタイズメントを送信するようにしているが、これに限られない。例えば、ペリフェラル２００がアドバタイズメントを定期的に送信する場合、再接続情報が示す時間をアドバタイズメントの送信回数に変換し、その送信回数分を受信した場合にセントラル１００が接続要求を送信して再接続処理を行ってもよい。
【００８３】
上記実施形態では、セントラル１００及びペリフェラル２００は、計時部１６６、２６６のパルス数のカウント値に着目して、再接続処理や電力供給制御等の各種制御のタイミングを認識している。しかし、計時部１６６、２６６のパルス数のカウント値ではなく、カウント値の増加分に着目して、再接続処理や電力供給制御等の各種制御のタイミングを認識してもよい。
【００８４】
即ち、例えば、再接続処理は、計時部１６６、２６６のパルス数のカウント値が再接続情報の示すパルス数と同じ値になるタイミングで実行されるとは限らない。これは、計時部１６６、２６６のパルス数のカウント値の適宜リセットさせるかどうかが任意だからである。
【００８５】
上記実施形態では、セントラル１００及びペリフェラル２００が１台ずつの場合を示したが、ペリフェラル２００は複数台から構成されてもよい。この場合、ペリフェラル２００が送信するアドバタイズメントのアドレス情報などに基づいてセントラル１００は、当該アドバタイズメントの送信元であるペリフェラルを識別する。
【００８６】
また、本発明に係るセントラル１００及びペリフェラル２００は、上記装置によらず、例えば、コンピュータがプログラムを実行することで、セントラル１００の機能及びペリフェラル２００の機能を実現してもよい。セントラル１００の機能及びペリフェラル２００の機能を実現するためのプログラムは、ＵＳＢ（Universal Serial Bus）メモリ、ＣＤ−ＲＯＭ（Compact Disc−Read Only Memory）、ＤＶＤ（Digital Versatile Disc）、ＨＤＤ（Hard Disc Drive）等のコンピュータ読み取り可能な記録媒体に記憶されてもよいし、ネットワークを介してコンピュータにダウンロードされてもよい。
【００８７】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００８８】
（付記１）
自装置に接続されている他の無線通信装置と該接続の切断前に共有した該切断後の再接続を行うタイミングを示す再接続情報に基づいて、前記他の無線通信装置との再接続処理を行う再接続処理手段と、
前記再接続情報に基づいて決定したタイミングで、無線通信に必要な電力供給の制御を行う電力供給制御手段と、
を備えることを特徴とする無線通信装置。
【００８９】
（付記２）
前記再接続情報を送信する再接続情報送信手段と、
前記再接続情報送信手段が前記再接続情報を送信した後に、前記接続の切断処理を行う切断処理手段と、をさらに備え、
前記電力供給制御手段は、前記切断処理手段による前記接続の切断処理後に、前記電力供給を停止し、該停止した電力供給を、前記再接続情報が示すタイミングの前に再開する、
ことを特徴とする付記１に記載の無線通信装置。
【００９０】
（付記３）
前記再接続情報送信手段は、前記接続を切断する直前のデータ通信の際に、前記他の無線通信装置との間のデータ通信が不要な時間に基づいて、前記再接続を行うタイミングを算出して前記再接続情報を生成する、
ことを特徴とする付記２に記載の無線通信装置。
【００９１】
（付記４）
自装置のクロック信号のパルス数をカウントする計時手段をさらに備え、
前記再接続情報送信手段は、前記再接続情報を送信したときから前記再接続を行うタイミングまでの時間を、前記クロック信号のパルス数に変換し、該パルス数を前記再接続情報として生成し、
前記再接続処理手段は、前記計時手段がカウントするパルス数と前記再接続情報が示すパルス数とに基づいて前記再接続処理を行う、
ことを特徴とする付記２又は３に記載の無線通信装置。
【００９２】
（付記５）
前記再接続情報を受信する再接続情報受信手段と、
前記再接続情報受信手段が前記再接続情報を受信した後に、前記接続の切断処理を行う切断処理手段と、をさらに備え、
前記電力供給制御手段は、前記切断処理手段による前記接続の切断処理後に、前記電力供給を停止し、該停止した電力供給を、前記再接続情報が示すタイミングの前に再開する、
ことを特徴とする付記１に記載の無線通信装置。
【００９３】
（付記６）
自装置のクロック信号のパルス数をカウントする計時手段をさらに備え、
前記再接続情報は、前記再接続情報を送信したときから前記再接続を行うタイミングまでの時間を、前記クロック信号のパルス数に変換したパルス数を示し、
前記再接続処理手段は、前記計時手段がカウントするパルス数と前記再接続情報が示すパルス数とに基づいて前記再接続処理を行う、
ことを特徴とする付記５に記載の無線通信装置。
【００９４】
（付記７）
前記再接続情報が前記再接続を行うタイミングの時刻を示す情報であり、
前記再接続処理手段は、前記再接続情報が示す時刻に基づいて前記再接続処理を行う、
ことを特徴とする付記２又は３又は５のいずれかに記載の無線通信装置。
【００９５】
（付記８）
付記１から７のいずれかに記載の無線通信装置を備える電子時計。
【００９６】
（付記９）
自装置に接続されている他の無線通信装置と該接続の切断前に共有した該切断後の再接続を行うタイミングを示す再接続情報に基づいて、前記他の無線通信装置との再接続処理を行う再接続処理ステップと、
前記再接続情報に基づいて決定したタイミングで、無線通信に必要な電力供給の制御を行う電力供給制御ステップと、
を備えることを特徴とする無線通信方法。
【００９７】
（付記１０）
コンピュータを、
自装置に接続されている他の無線通信装置と該接続の切断前に共有した該切断後の再接続を行うタイミングを示す再接続情報に基づいて、前記他の無線通信装置との再接続処理を行う再接続処理手段、
前記再接続情報に基づいて決定したタイミングで、無線通信に必要な電力供給の制御を行う電力供給制御手段、
として機能させるプログラム。
【００９８】
（付記１１）
無線通信装置と、該無線通信装置と無線通信を行う他の無線通信装置と、を備える無線通信システムであって、
前記無線通信装置は、
自装置に接続されている前記他の無線通信装置と該接続の切断前に共有した該切断後の再接続を行うタイミングを示す再接続情報に基づいて、前記他の無線通信装置との再接続処理を行う再接続処理手段と、
前記再接続情報に基づいて決定したタイミングで、無線通信に必要な電力供給の制御を行う電力供給制御手段と、を備え、
前記他の無線通信装置は、
前記共有した再接続情報に基づいて、前記無線通信装置との再接続処理を行う再接続処理手段と、
前記再接続情報に基づいて決定したタイミングで、無線通信に必要な電力供給の制御を行う電力供給制御手段と、を備える、
ことを特徴とする無線通信システム。
【符号の説明】
【００９９】
１…無線通信システム、１００…セントラル、１１０…無線通信部、１１１…アンテナ、１２０…ＲＯＭ、１３０…ＲＡＭ、１４０…操作部、１５０…表示部、１６０…制御部、１６１…アドバタイズメント受信部、１６２…接続要求送信部、１６３…切断要求送信部、１６４…再接続情報送信部、１６５…電力供給制御部、１６６…計時部、１６７…クロック信号生成部、１６８…判定結果受信部、１８１，１８２，１８３…消費電力、２００…ペリフェラル、２１０…無線通信部、２１１…アンテナ、２２０…ＲＯＭ、２３０…ＲＡＭ、２４０…操作部、２５０…表示部、２６０…制御部、２６１…アドバタイズメント送信部、２６２…接続要求受信部、２６３…切断要求受信部、２６４…再接続情報受信部、２６５…電力供給制御部、２６６…計時部、２６７…クロック信号生成部、２６８…判定結果送信部、２８１，２８２，２８３…消費電力
【図１】
0006387876.tif 000002
【図２】
0006387876.tif 000003
【図３】
0006387876.tif 000004
【図４】
0006387876.tif 000005
【図５】
0006387876.tif 000006
【図６】
0006387876.tif 000007